(57)【要約】【課題】ランプロード機構を備えた磁気記録装置であって、簡易な構造で、磁気ヘッドが任意の位置で速やかにロード・アンロードを行うことができ、ロード時にランプ部が磁気ディスクに重なって情報領域のデッドゾーンが形成されることを回避することができる磁気記録装置を提供する。【解決手段】磁気ヘッド５３と、前記磁気ヘッド５３を退避させるためのランプ部６３と、を備えた磁気記録装置５０は、前記ランプ部６３が、当該磁気記録装置５０に回動可能に設けられ、前記磁気ヘッド５３を、磁気ディスク５２の上方であって前記磁気ヘッド５３の回動方向上に位置する前記ランプ部６３から前記磁気ディスク５２の任意の箇所にロードすると、前記ランプ部６３は回動して、前記磁気ディスク５２の外周よりも外側に位置することを特徴とする。【選択図】  図２
2008234754.tif 000002
【特許請求の範囲】
【請求項１】
磁気ヘッドと、
前記磁気ヘッドを退避させるためのランプ部と、を備えた磁気記録装置であって、
前記ランプ部は、当該磁気記録装置に回動可能に設けられ、
前記磁気ヘッドを、磁気ディスクの上方であって前記磁気ヘッドの回動方向上に位置する前記ランプ部から前記磁気ディスクの任意の箇所にロードすると、前記ランプ部は回動して、前記磁気ディスクの外周よりも外側に位置することを特徴とする磁気記録装置。
【請求項２】
請求項１記載の磁気記録装置であって、
前記磁気ヘッドをアンロードする際には、前記ランプ部は、前記磁気ディスクの上方であって前記磁気ヘッドの回動方向上に位置するように、前記磁気ディスクの外周よりも外側の箇所から回動し、
前記磁気ヘッドは、前記磁気ディスクの任意の箇所から前記ランプ部に退避することを特徴とする磁気記録装置。
【請求項３】
請求項１又は２記載の磁気記録装置であって、
前記磁気ヘッドをアンロードする際には、前記ランプ部は、前記磁気ディスクの略内径から外周位置に至るように、前記磁気ディスクの上方に位置することを特徴とする磁気記録装置。
【請求項４】
請求項１乃至３いずれか一項記載の磁気記録装置であって、
前記ランプ部は、ランプ部回動用アクチュエータの伸縮自在なアームに接続された第１軸部と、前記第１軸部から所定長さ離間した位置に於いて前記ランプ部を回動自在に支持する第２軸部と、を有し、
前記ランプ部回動用アクチュエータの前記アームが伸縮することにより、前記第１軸部が移動し、前記第２軸部を中心に前記ランプ部が回動することを特徴とする磁気記録装置。
【請求項５】
請求項１乃至４いずれか一項記載の磁気記録装置であって、
前記ランプ部は、鉛直方向に複数設けられていることを特徴とする磁気記録装置。
【発明の詳細な説明】
【技術分野】
【０００１】
本発明は、磁気記録装置に関し、より具体的には、ランプロード機構を備えた磁気記録装置に関する。
【背景技術】
【０００２】
近年、通信技術の高速化により取り扱う情報の情報量が急激に増加し、磁気ディスク装置、特にハードディスク装置が広汎に用いられるようになってきた。ハードディスク装置は、大容量、高記録密度、高速アクセス性に加え、小型化、軽量化が図られ、ノートブック型パーソナルコンピュータや携帯端末機に搭載されている。
【０００３】
ハードディスク装置は、磁気ヘッドが、回転する磁気ディスク上を十数ｎｍの極低浮上量で浮上しながら記録・再生動作を行う。また、記録・再生動作を行わない場合は磁気ディスクの回転が停止し、磁気ヘッドは磁気ディスクの表面に接触した状態で静置される。
【０００４】
しかし、このような状態で外部から衝撃が加えられると、衝撃の影響で磁気ヘッドが磁気ディスクの表面を叩いて凹みや記録層が損傷されるため、磁気ディスクに記録された情報を再生できなくなる。
【０００５】
かかる問題を解決するために、ハードディスク装置には、未使用時に磁気ヘッドを磁気ディスク面から待避させるランプロード方式（ロード・アンロード機構）が採用されている。
【０００６】
図１に、従来の磁気ディスク装置の要部を示す。
【０００７】
図１に示す磁気ディスク装置１０は、ディスクエンクロージャ１の内部に格納された、磁気ディスク２と、磁気ヘッド３と、アクチュエータ４等から大略構成される。なお、図示されていない上蓋によりディスクエンクロージャ１が封止され、外部雰囲気からのダスト等の混入が防止されるようになっている。
【０００８】
磁気ディスク２は、ハブ５に固定され、ハブ５に接続されたスピンドルモータ（磁気ディスク２の裏側にあるため図示せず）により回転駆動される。
【０００９】
磁気ディスク２は円盤状の基板上に、情報が磁化の方向として保持される磁性層や、磁性層表面に設けられ磁性層の機械的な損傷や酸化等を防止するための保護膜や、保護膜上に形成された潤滑層等から構成される。磁性層は、面内磁気記録方式の場合は、磁化方向が基板と平行となる面内磁化膜が用いられ、垂直磁気記録方式では、磁化方向が基板と直交する垂直磁化膜が用いられる。
【００１０】
磁気ヘッド３は、記録・再生を行う例えば記録用の誘導型記録素子と再生用の磁気抵抗効果型素子（いずれも微小なため図示されず。）が設けられたヘッドスライダ６と、ヘッドスライダ６を支持するサスペンション本体部７等から構成される。
【００１１】
磁気ヘッド３は、アーム８を介してアクチュエータ４に支持されている。磁気ヘッド３は、アクチュエータ４の基部に設けられたＶＣＭ（ボイスコイルモータ）９と、ＶＣＭ９の上下に配置された永久磁石１１との電磁気的な駆動力により回転軸部１２を中心として磁気ディスク２の径方向に回動する。
【００１２】
ＶＣＭ９には、ディスクエンクロージャ１の裏側に設けられた電子基板に配置されたＶＣＭ・ＳＰＭ（スピンドルモータ）ドライバＩＣからＶＣＭ駆動電流が供給される。ＶＣＭ駆動電流の方向および大きさにより、磁気ヘッド３の移動方向および速度が制御される。
【００１３】
ディスクエンクロージャ１の内部には、さらに磁気ディスク装置１０が記録・再生動作を行わない場合に磁気ヘッド３を退避させるためのランプ部１３が、磁気ディスク２の外周及びその近傍に覆い被さるように、且つ、磁気ヘッド３の走行経路上に固定配置されている。
【００１４】
サスペンション本体部７の先端部には、サスペンション本体部７から張り出すように延在するリフトタブ１４が設けられている。リフトタブ１４は、その平面形状が例えば棒状やタブ状に形成されている。磁気ヘッド３は、ロード動作およびアンロード動作の際に、リフトタブ１４がランプ部１３の表面に接触して、ランプ部１３により磁気ヘッド３が支持される。
【００１５】
このようなランプロード（ロード・アンロード）機構が採用されている磁気ディスク装置１０においては、磁気ヘッド３が情報の記録・再生動作を行わない場合は、磁気ヘッド３を退避させるべく、ランプ部１３に、磁気ヘッド３の先端に形成されたリフトタブ１４が搭載される（アンロード状態）。一方、磁気ヘッド３が情報の記録・再生動作を行う場合は、磁気ヘッド３がランプ部１３上を摺動し、磁気ディスク２の外周部へ磁気ヘッド３が接近し、情報の記録・再生が行われる（ロード状態）。
【００１６】
そのほか、一対のカムとピエゾバイモルフから成る浮動ヘッドスライダのロード・アンロード機構をポジショナアクチュエータの側面に設け、カムを同時に動作させることにより、サスペンション本体部（浮動ヘッドスライダ支持体）を左右から保持又は解放することによって浮動ヘッドスライダのロード・アンロードを行う態様が提案されている（特許文献１参照）。
【００１７】
また、磁気ヘッドを保持するサスペンションのフレクシャと交差するように磁気ディスク上に延出してフレクシャを支持することにより磁気ヘッドを磁気ディスクから浮上させるフレクシャ支持部材と、当該フレクシャ支持部材を、フレクシャを支持する方向及び支持を解除する方向へ移動させるアクチュエータと、から構成される磁気ディスク装置のロード・アンロード機構が提案されている（特許文献２参照）。
【特許文献１】特開平４−２８１２７５号公報
【特許文献２】特開平６−２５９９１３号公報
【発明の開示】
【発明が解決しようとする課題】
【００１８】
しかしながら、図１に示すロード・アンロード機構では、磁気ヘッド３による情報の記録・再生動作時、即ち、磁気ヘッド３が磁気ディスク２にロードする際に、磁気ディスク２の表面上に損傷を与え、磁気情報が消失するおそれがある。このような磁気ヘッド３のロード時における磁気ディスク２の損傷は、磁気ディスク２の回転時における線速度の増加に伴い、増加する傾向にある。
【００１９】
更に、磁気ヘッド３が情報の記録・再生動作を行っている最中に、落下等の衝撃が加わった場合、磁気ヘッド３が速やかにランプ部１３に退避（アンロード）しきれずに、当該衝撃に因り、磁気ディスク２並びに磁気ヘッド２に損傷を与えてしまうおそれがある。
【００２０】
また、図１に示すロード・アンロード機構では、ランプ部１３は、磁気ディスク２の外周及びその近傍に覆い被さるように設けられているため、磁気ディスク２の回転時において、ランプ部１３と重なる磁気ディスク２の箇所には、磁気ヘッド３は到達することができない。従って、ランプ部１３と重なる磁気ディスク２の箇所の面積分に相当する領域が情報領域のデッドゾーンとなり、当該箇所を情報領域として用いることができず、磁気ディスク装置の記憶容量の低下を招いてしまう。
【００２１】
更に、特許文献１に記載の態様では、サスペンション本体部（浮動ヘッドスライダ支持体）の構造が複雑となってしまい、量産性が低いという問題がある。
【００２２】
また、特許文献２に記載の態様では、磁気ヘッドを磁気ディスクにロードした後においても、フレクシャ支持部材は磁気ディスクの上方に位置しているため、磁気ディスクの回転に伴って発生する空気流を乱し、磁気ヘッドの安定浮上を図ることができないという問題がある。
【００２３】
そこで、本発明は、上記の点に鑑みてなされたものであって、ランプロード機構を備えた磁気記録装置であって、簡易な構造で、磁気ヘッドが任意の位置で速やかにロード・アンロードを行うことができ、ロード時にランプ部が磁気ディスクに重なって情報領域のデッドゾーンが形成されることを回避することができる磁気記録装置を提供することを本発明の目的とする。
【課題を解決するための手段】
【００２４】
本発明の一観点によれば、磁気ヘッドと、前記磁気ヘッドを退避させるためのランプ部と、を備えた磁気記録装置であって、前記ランプ部は、当該磁気記録装置に回動可能に設けられ、前記磁気ヘッドを、磁気ディスクの上方であって前記磁気ヘッドの回動方向上に位置する前記ランプ部から前記磁気ディスクの任意の箇所にロードすると、前記ランプ部は回動して、前記磁気ディスクの外周よりも外側に位置することを特徴とする磁気記録装置が提供される。
【００２５】
前記磁気ヘッドをアンロードする際には、前記ランプ部は、前記磁気ディスクの上方であって前記磁気ヘッドの回動方向上に位置するように、前記磁気ディスクの外周よりも外側の箇所から回動してもよく、前記磁気ヘッドは、前記磁気ディスクの任意の箇所から前記ランプ部に退避することとしてもよい。また、前記磁気ヘッドをアンロードする際には、前記ランプ部は、前記磁気ディスクの略内径から外周位置に至るように、前記磁気ディスクの上方に位置することとしてもよい。
【００２６】
更に、前記ランプ部は、ランプ部回動用アクチュエータの伸縮自在なアームに接続された第１軸部と、前記第１軸部から所定長さ離間した位置に於いて前記ランプ部を回動自在に支持する第２軸部と、を有し、前記ランプ部回動用アクチュエータの前記アームが伸縮することにより、前記第１軸部が移動し、前記第２軸部を中心に前記ランプ部が回動することとしてもよい。
【００２７】
前記ランプ部は、鉛直方向に複数設けられていてもよい。
【発明の効果】
【００２８】
本発明によれば、ランプロード機構を備えた磁気記録装置であって、簡易な構造で、磁気ヘッドが任意の位置で速やかにロード・アンロードを行うことができ、ロード時にランプ部が磁気ディスクに重なって情報領域のデッドゾーンが形成されることを回避することができる磁気記録装置を提供することができる。
【発明を実施するための最良の形態】
【００２９】
以下、本発明の実施の形態について説明する。
【００３０】
図２に、本発明の実施の形態に係る磁気ディスク装置の要部を示す。
【００３１】
図２に示す磁気ディスク装置（磁気記録装置）５０は、ディスクエンクロージャ５１の内部に格納された、磁気ディスク５２と、磁気ヘッド５３と、アクチュエータ５４等から大略構成される。なお、図示されていない上蓋によりディスクエンクロージャ５１が封止され、外部雰囲気からのダスト等の混入が防止されるようになっている。
【００３２】
磁気ディスク５２は、ハブ５５に固定され、ハブ５５に接続されたスピンドルモータ（磁気ディスク５２の裏側にあるため図示せず）により回転駆動される。
【００３３】
磁気ディスク５２は円盤状の基板上に、情報が磁化の方向として保持される磁性層や、磁性層表面に設けられ磁性層の機械的な損傷や酸化等を防止するための保護膜や、保護膜上に形成された潤滑層等から構成される。磁性層は、面内磁気記録方式の場合は、磁化方向が基板と平行となる面内磁化膜が用いられ、垂直磁気記録方式では、磁化方向が基板と直交する垂直磁化膜が用いられる。
【００３４】
磁気ヘッド５３は、記録・再生を行う例えば記録用の誘導型記録素子と再生用の磁気抵抗効果型素子（いずれも微小なため図示されず。）が設けられたヘッドスライダ５６と、ヘッドスライダ５６を支持するサスペンション本体部５７等から構成される。
【００３５】
板状の金属材料から成るサスペンション本体部５７は、板バネとして機能する。即ち、サスペンション本体部５７は、磁気ヘッド５３が磁気ディスク５２上に浮上した際に、ヘッドスライダ５６の表面が受ける浮上力に対して、磁気ディスク５２側に押しつける力を発生する。これらの力の均衡によりヘッドスライダ５６と磁気ディスク５２との表面との距離が一定に保持される。
【００３６】
ここで、図３も参照して、磁気ヘッド５３（サスペンション本体部５７）の先端部の構造について説明する。図３には、磁気ヘッド５３（サスペンション本体部５７）の先端部を磁気ディスク５２側から見た平面図が示されている。
【００３７】
サスペンション本体部５７の先端部にはヘッドスライダ５６が固定されており、また、サスペンション本体部５７から張り出すように延在するリフトタブ６４が設けられている。リフトタブ６４は、その平面形状が例えば棒状やタブ状に形成されている。
【００３８】
ところで、サスペンション本体部５７の基部は、アクチュエータ５４のアーム５８に嵌合等により固定される。磁気ヘッド５３は、アクチュエータ５４の基部に設けられたＶＣＭ（ボイスコイルモータ）５９と、ＶＣＭ５９の上下に配置された永久磁石６１との電磁気的な駆動力により回転軸部６２を中心として磁気ディスク６２の径方向に、即ち、図２において一点鎖線Ａで示す方向に回動する。
【００３９】
ＶＣＭ５９には、ディスクエンクロージャ５１の裏側に設けられた電子基板に配置されたＶＣＭ・ＳＰＭ（スピンドルモータ）ドライバＩＣからＶＣＭ駆動電流が供給される。ＶＣＭ駆動電流の方向および大きさにより、磁気ヘッド５３の移動方向および速度が制御される。
【００４０】
ディスクエンクロージャ５１の内部には、さらに磁気ディスク装置５０が記録・再生動作を行わない場合に磁気ヘッド５３を退避させるためのランプ部６３が設けられている。ランプ部６３は、ランプ部回動用アクチュエータ８０と、アーム８１を介して接続されている。
【００４１】
ここで、ランプ部６３の構造（形状）及び機構について詳述する。
【００４２】
まず、ランプ部６３の構造（形状）について、図４及び図５を参照して説明する。
【００４３】
図４は、ランプ部６３の、図２の点線Ｂ−Ｂにおける断面図であり、図５は、ランプ部６３と磁気ヘッド５３の先端部の、図２の点線Ｃ−Ｃにおける断面図である。図５では、２枚の磁気ディスク５２ａ及び５２ｂのそれぞれの上面側及び下面側に、ランプ部６３ａ乃至６３ｄが設けられている例（図５参照）を示している。
【００４４】
ランプ部６３の上面側には、傾斜部７０と平坦部７１が形成されている。
【００４５】
記録・再生動作の終了後、磁気ヘッド５３は、その先端部に設けられたリフトタブ６４をランプ部６３の傾斜部７０に接触させながら上方に移動し、これと同時に、ヘッドスライダ５６が磁気ディスク５２面から上方に引き上げられて静止する。このようにして磁気ヘッド５３はアンロード動作が行われ、磁気ヘッド５３は退避する。
【００４６】
また、ロード動作の際は、磁気ヘッド５３はリフトタブ６４をランプ部６３に接触させながら磁気ディスク５２側に移動し、ヘッドスライダ５６と磁気ディスク５２面との間にエアベアリングを形成し、リフトタブ５６がランプ部６３から離れ、磁気ディスク５２面上を浮上する。
【００４７】
次に、このような構造（形状）を有するランプ部６３の機構について、図６乃至図８を参照して説明する。
【００４８】
なお、図６は、図２に示す磁気ディスク装置５０と同じものを示し、図面を見やすくするために、図２に示す一点鎖線Ａ、点線Ｂ−Ｂ、及び点線Ｃ−Ｃを省略し、その代わりに、点線Ｄ−Ｄ及び点線Ｅ−Ｅを記載してある。また、図７は、図６の点線Ｄ−Ｄにおける断面図であり、図８は、図６の点線Ｅ−Ｅにおける断面図である。なお、図７及び図８に示す例では、図５に示す例と同様に、２枚の磁気ディスク（５２ａ及び５２ｂ）のそれぞれの上面側及び下面側に、ランプ部６３ａ乃至６３ｄが設けられている例を示している。
【００４９】
図６乃至図８を参照するに、ランプ部６３ａ乃至６３ｄが磁気ディスク５２の上方に位置している状態で磁気ディスク５２の中心と反対の側に位置しているランプ部６３ａ乃至６３ｄの端部近傍は、ランプ相互間固定軸部（第１軸部）９０を介して互いに固定されている。即ち、ランプ部相互間固定軸部９０は、鉛直方向に設けられた固定軸９１を有し、当該固定軸９１により、ランプ部６３ａ乃至６３ｄ相互間が固定されている。
【００５０】
また、固定軸９１には、軸受９２が取り付けられている。当該軸受９２は、ランプ部回動用アクチュエータ８０の伸縮自在なアーム８１に連結されている。
【００５１】
ランプ部６３ａ乃至６３ｄにおいてランプ部相互間固定軸部９０から所定長さ離間した位置には、回転軸部（第２軸部）９５が設けられている。
【００５２】
回転軸部９５は、磁気ディスク装置５０の底面部に固定された軸部９６と、当該軸部９６を中心にランプ部６３ａ乃至６３ｄが回動できるように、ランプ部６３ａ乃至６３ｄの上面及び下面において軸部９６に取り付けられた軸受９７ａ乃至９７ｄと、を有する。
【００５３】
従って、ランプ部回動用アクチュエータ８０のアーム８１が伸縮することにより、アーム８１が連結された軸受９２を介してランプ部相互間固定軸部９０の固定軸９１は移動する。その結果、固定軸９１により相互間が固定されているランプ部６３ａ乃至６３ｄも移動する。具体的には、磁気ディスク装置５０の底面部に固定された軸部９６を中心にランプ部６３ａ乃至６３ｄが回動する。
【００５４】
図２（図６）に示す状態、即ち、アンロード状態では、磁気ディスク５２の上方にランプ部６３ａ乃至６３ｄが位置している。この状態から、磁気ヘッド５３のロードの際又はその後に、ランプ部回動用アクチュエータ８０のアーム８１を縮めることにより、アーム８１が連結された軸受９２を介してランプ部相互間固定軸部９０の固定軸９１はランプ部回動用アクチュエータ８０に近づく方向に移動する。これにより、固定軸９１により相互間が固定されているランプ部６３ａ乃至６３ｄは、磁気ディスク装置５０の底面部に固定された軸部９６を中心にランプ部６３ａ乃至６３ｄは回動し、図９に示すように、ランプ部６３ａ乃至６３ｄが磁気ディスク５２の外周よりも外側に位置する。
【００５５】
なお、この状態では、図９に示すように、ランプ部相互間固定軸部９０の固定軸９１は、図２に示す状態に比し、磁気ディスク５２側に移動しているが、固定軸９１には軸受９２が取り付けられているため、歪むこと無く移動させることができる。
【００５６】
次に、上述の機構を有するランプ部６３と磁気ヘッド６３のロード及びアンロード動作について説明する。
【００５７】
図２を参照するに、磁気ヘッド５３を磁気ディスク５２からアンロードする場合には、ランプ部６３が、磁気ディスク６２の略内径から外周位置に至るように、磁気ディスク５２の上方に位置する。即ち、ランプ部６３の外縁部分（図４に示す傾斜部７０）が、図２において一転鎖線Ａで示す磁気ヘッド５３の回動方向上に位置する。
【００５８】
ランプ部６３が磁気ディスク６２の略内径から外周位置に至るように、磁気ディスク５２の上方に位置するため、磁気ヘッド５３を磁気ディスク５２の任意の位置でアンロードすることができる。従って、図２に示す例では、磁気ヘッド５３を磁気ディスク６２の外周位置近傍においてアンロードしているが、磁気ヘッド５３を磁気ディスク５２の内周近傍においてアンロードすることもできる。
【００５９】
アンロードした磁気ヘッド５３は、その先端部に設けられたリフトタブ６４をランプ部６３の傾斜部７０に接触させながら上方に移動し、これと同時に、ヘッドスライダ５６が磁気ディスク５２面から上方に引き上げられて静止する。これにより磁気ヘッド５３を退避させることができる。
【００６０】
一方、磁気ヘッド５３を磁気ディスク５２にロードする場合（図９参照）も、磁気ヘッド５３を磁気ディスク５２の任意の位置でロードすることができる。そして、磁気ヘッド５３を磁気ディスク５２にロードする際又はロードした後には、ランプ部回動用アクチュエータ８０を作動させてアーム８１を縮めることにより、アーム８１が連結された軸受９２を介してランプ部相互間固定軸部９０の固定軸９１はランプ部回動用アクチュエータ８０に近づく方向に移動する。
【００６１】
これにより、ランプ部６３は、磁気ディスク装置５０の底面部に固定された軸部９６を中心に回動し、即ち、ランプ部６３が磁気ディスク５２の外周よりも外側に位置する。
【００６２】
磁気ディスク５２に対する磁気ヘッド５３のロードの態様として、例えば、図１０又は図１１に示す態様を採用してもよい。なお、図１０（ｂ）及び図１０（ｃ）においては、図１０（ａ）に示す状態の磁気ヘッド５３を点線で示している。また、図１１（ｂ）及び図１１（ｃ）においては、図１１（ａ）に示す状態のランプ部６３を点線で示している。
【００６３】
図１０に示す態様では、磁気ヘッド５３のリフトタブ６４を、磁気ディスク５２（図１０では図示を省略）の上方に位置しているランプ部６３に搭載された状態（図１０（ａ）に示す状態）から、図１０（ｂ）において矢印Ｆで示すように、磁気ディスク５２の内周側（図１０における左側）に移動している。
【００６４】
更に、図１０（ｂ）において矢印Ｇで示すように、ランプ部回動用アクチュエータ８０を作動してランプ部６３を磁気ディスク５２の外周の外側（図１０における右側）に移動しながら、図１０（ｃ）に示すように、磁気ヘッド５３を磁気ディスク５２にロードしている。
【００６５】
図１１に示す態様では、磁気ヘッド５３のリフトタブ６４を、磁気ディスク５２（図１１では図示を省略）の上方に位置しているランプ部６３に搭載された状態（図１１（ａ）に示す状態）から、磁気ヘッド５３のリフトタブ６４の位置を変えることなく、図１１（ｂ）において矢印Ｇで示すように、ランプ部回動用アクチュエータ８０を作動してランプ部６３を磁気ディスク５２の外周の外側（図１１における右側）、即ち、磁気ディスク５２の外周及びその内側と重ならない位置に移動して、図１１（ｃ）に示すように、磁気ヘッド５３を磁気ディスク５２にロードしている。
【００６６】
磁気ヘッド５３を磁気ディスク５２にロードしている状態からアンロードするには、ランプ部回動用アクチュエータ８０を作動させてアーム８１を伸ばすことにより、アーム８１が連結された軸受９２を介してランプ部６３が回動され、ランプ部相互間固定軸部９０の固定軸９１はランプ部回動用アクチュエータ８０から遠ざかる方向に移動する。
【００６７】
これにより、ランプ部６３は磁気ディスク６２の略内径から外周位置に至るように、磁気ディスク５２の上方に位置し、磁気ヘッド５３を磁気ディスク５２の任意の位置でアンロードすることができる。
【００６８】
磁気ディスク５２に対する磁気ヘッド５３のアンロードの態様として、例えば、図１０又は図１１に示す手順と逆の手順を採用してもよい。
【００６９】
即ち、ランプ部回動用アクチュエータ８０を作動させて、ランプ部６３を、磁気ディスク５２の外周の外側から磁気ディスク５２の上方に移動させ、磁気ヘッド５３を磁気ディスク５２の外周側に移動しながら、磁気ヘッド５３のリフトタブ６４をランプ部６３に搭載してアンロードすることができる。
【００７０】
或いは、磁気ヘッド５３のリフトタブ６４の位置を変えることなく、ランプ部回動用アクチュエータ８０を作動させて、ランプ部６３を磁気ディスク５２の外周の外側から磁気ディスク５２の上方に移動させ、磁気ヘッド５３のリフトタブ６４をランプ部６３に搭載してアンロードすることができる。
【００７１】
このように、本発明の実施の形態に係る磁気ディスク装置５０によれば、磁気ヘッド５３のロード動作及びアンロード動作を、磁気ディスク５２上の任意の位置で行うことできるため、磁気ディスク５２の表面上に形成され得る損傷を低減させることができ、よって、磁気情報の消失を防止することができる。
【００７２】
また、磁気ヘッド５３のロード動作を、磁気ディスク５２上の任意の位置で、例えば、磁気ディスク５２の内周側にて行うことができ、当該ロード動作時に、ランプ部６３を磁気ディスク５２の外周の外側、即ち、磁気ディスク５２の外周及びその内側と重ならない位置に移動しながら、磁気ヘッド５３を磁気ディスク５２にロードしている。
【００７３】
よって、図１に示す従来の構造では情報領域のデッドゾーンとなっている磁気ディスク５２の外周部分近傍をも情報領域として用いることができ、図１に示す従来の構造よりも広範囲に、磁気ディスク装置の記憶領域を確保することができる。
【００７４】
更に、ランプ部回動用アクチュエータ８０のアーム８１の伸縮長さ、即ち、ランプ部回動用アクチュエータ８０のストロークは、磁気ヘッド５３の移動長さよりも短い。
【００７５】
従って、ランプ部回動用アクチュエータ８０を動作させてアーム８１を伸縮することにより実現されるランプ部６３の回動の速度は、磁気ヘッド５３の移動速度よりも高い。よって、図１に示す従来の構造よりも短時間で、磁気ヘッド５３をアンロードすることができる。
【００７６】
また、磁気ヘッド５３が磁気ディスク５２にロードする際又はロードしているときは、ランプ部６３は、磁気ディスク５２の外周の外側に位置し、磁気ディスク５２の上方には位置していない。よって、磁気ディスク５２の回転に伴う空気流を乱すことはなく、磁気ヘッド５３の安定浮上を図ることができる。
【００７７】
更に、本実施の形態では、ランプ部回動用アクチュエータ８０の動作に基づくランプ部６３の回動という簡易な構造で上述の作用及び効果を実現している。よって、図５に示すように、複数枚の磁気ディスク５２及び複数個の磁気ヘッド５３が使用される態様の磁気記憶装置５０において、磁気ヘッド５３の数に応じて複数個のランプ部６３が必要になるものの、特別な装置を要することなく複数の磁気ディスク５２の面間にランプ部６３を配置することができる。
【００７８】
このような磁気ディスク装置５０において、例えば、ディスクエンクロージャ５１の内部に加速度センサ（加速度検出部）を設けてもよい。
【００７９】
これにより、磁気ヘッド５３が磁気情報の読取再生動作を行っている際に、落下等の衝撃が発生しても、加速度センサで当該衝撃等に起因する外乱情報を検知し、図示を省略する制御部に取り込まれる。外乱情報は、制御部の記憶部に記録されているプログラムを用いてＣＰＵにより処理が行われ、制御信号が生成される。当該制御信号は、ランプ部回動用アクチュエータ８０のドライバに送られ、ランプ部回動用アクチュエータ８０を作動してランプ部６３を、磁気ディスク６２の略内径から外周位置に至るように磁気ディスク５２の上方に位置する。
【００８０】
その結果、磁気ヘッド５３は速やかにランプ部６３上に退避（アンロード）することができ、落下等の衝撃が発生しても、磁気ディスク５２及び磁気ヘッド５３に損傷を与えてしまうことを回避することができる。
【００８１】
また、例えば、ディスクエンクロージャ５１の内部に、電力貯蓄部として、所定のバッテリ又は磁気ディスク５２を回転駆動するスピンドルモータ（磁気ディスク５２の裏側にあるため図２において図示せず）の減速時に発生する回生電力を貯蓄する機構を設けてもよい。
【００８２】
これにより、磁気ディスク装置５０への電力の供給が絶たれた場合に、前記バッテリ又は前記回生電力を貯蓄する機構から電力をランプ部回動用アクチュエータ８０に供給して、ランプ部回動用アクチュエータ８０を作動してランプ部６３を磁気ディスク６２の略内径から外周位置に至るように、磁気ディスク５２の上方に位置することができる。
【００８３】
その結果、磁気ヘッド５３は速やかにランプ部６３上に退避（アンロード）することができ、磁気ディスク装置５０への電力の供給が絶たれた場合であっても、磁気ディスク５２及び磁気ヘッド５３に損傷を与えてしまうことを回避することができる。
【００８４】
以上、本発明の実施の形態について詳述したが、本発明は特定の実施形態に限定されるものではなく、特許請求の範囲に記載された本発明の要旨の範囲内において、種々の変形及び変更が可能である。
【００８５】
以上の説明に関し、更に以下の項を開示する。
（付記１）
磁気ヘッドと、
前記磁気ヘッドを退避させるためのランプ部と、を備えた磁気記録装置であって、
前記ランプ部は、当該磁気記録装置に回動可能に設けられ、
前記磁気ヘッドを、磁気ディスクの上方であって前記磁気ヘッドの回動方向上に位置する前記ランプ部から前記磁気ディスクの任意の箇所にロードすると、前記ランプ部は回動して、前記磁気ディスクの外周よりも外側に位置することを特徴とする磁気記録装置。
（付記２）
付記１記載の磁気記録装置であって、
前記磁気ヘッドをアンロードする際には、前記ランプ部は、前記磁気ディスクの上方であって前記磁気ヘッドの回動方向上に位置するように、前記磁気ディスクの外周よりも外側の箇所から回動し、
前記磁気ヘッドは、前記磁気ディスクの任意の箇所から前記ランプ部に退避することを特徴とする磁気記録装置。
（付記３）
付記１又は２記載の磁気記録装置であって、
前記磁気ヘッドをアンロードする際には、前記ランプ部は、前記磁気ディスクの略内径から外周位置に至るように、前記磁気ディスクの上方に位置することを特徴とする磁気記録装置。
（付記４）
付記１乃至３いずれか一項記載の磁気記録装置であって、
前記磁気ヘッドが、前記磁気ディスクの上方に位置する前記ランプ部上を前記磁気ディスクの内周側に移動し、前記ランプ部が、前記磁気ディスクの外周よりも外側に位置するように回動しながら、前記磁気ヘッドは前記磁気ディスクの任意の箇所にロードされることを特徴とする磁気記録装置。
（付記５）
付記１乃至３いずれか一項記載の磁気記録装置であって、
前記磁気ヘッドを前記磁気ディスクの上方に位置する前記ランプ部上に退避させたままの状態で、前記磁気ヘッドの位置を変えることなく、前記ランプ部を前記磁気ディスクの外周よりも外側に位置するように回動させて、前記磁気ヘッドは前記磁気ディスクにロードされることを特徴とする磁気記録装置。
（付記６）
付記１乃至５いずれか一項記載の磁気記録装置であって、
前記ランプ部は、ランプ部回動用アクチュエータの伸縮自在なアームに接続された第１軸部と、前記第１軸部から所定長さ離間した位置に於いて前記ランプ部を回動自在に支持する第２軸部と、を有し、
前記ランプ部回動用アクチュエータの前記アームが伸縮することにより、前記第１軸部が移動し、前記第２軸部を中心に前記ランプ部が回動することを特徴とする磁気記録装置。
（付記７）
付記６記載の磁気記録装置であって、
前記ランプ部の前記第１軸部には、軸受が取り付けられており、
前記軸受が、前記ランプ部回動用アクチュエータの前記アームに接続されていることを特徴とする磁気記録装置。
（付記８）
付記１乃至７いずれか一項記載の磁気記録装置であって、
前記ランプ部は、鉛直方向に複数設けられていることを特徴とする磁気記録装置。
（付記９）
付記１乃至８いずれか一項記載の磁気記録装置は、加速度検出部を更に備え、
前記加速度検出部で外乱が検知されると、前記ランプ部回動用アクチュエータが作動して、
前記ランプ部は、前記磁気ディスクの上方であって前記磁気ヘッドの回動方向上に位置するように回動されることを特徴とする磁気記録装置。
（付記１０）
付記１乃至９いずれか一項記載の磁気記録装置は、電力貯蓄部を更に備え、
当該磁気ディスク装置への電力の供給が絶たれた場合に、電力が前記電力貯蓄部から前記ランプ部回動用アクチュエータに供給されて、
前記ランプ部は、前記磁気ディスクの上方であって前記磁気ヘッドの回動方向上に位置するように回動されることを特徴とする磁気記録装置。
【図面の簡単な説明】
【００８６】
【図１】従来の磁気ディスク装置の要部を示す平面図である。
【図２】本発明の実施の形態に係る磁気ディスク装置の要部を示す平面図（その１）である。
【図３】図２に示す磁気ヘッド（サスペンション本体部）の先端部の構造を示す部分平面図である。
【図４】図２の点線Ｂ−Ｂにおける断面図である。
【図５】図２の点線Ｃ−Ｃにおける断面図である。
【図６】本発明の実施の形態に係る磁気ディスク装置の要部を示す平面図（その２）である。
【図７】図６の点線Ｄ−Ｄにおける断面図である。
【図８】図６の点線Ｅ−Ｅにおける断面図である。
【図９】図２に示す磁気ディスク装置におけるロード状態を示す平面図である。
【図１０】磁気ディスクに対する磁気ヘッドのロードの態様（その１）を示す図である。
【図１１】磁気ディスクに対する磁気ヘッドのロードの態様（その２）を示す図である。
【符号の説明】
【００８７】
５０          磁気ディスク装置
５２          磁気ディスク
５３          磁気ヘッド
６３          ランプ部
８０          ランプ部回動用アクチュエータ
８１          アーム
９０          ランプ部相互間固定軸部
９１          固定軸
９２、９７    軸受
９５          回転軸部
９６          軸部
【図１】
2008234754.tif 000003
【図２】
2008234754.tif 000004
【図３】
2008234754.tif 000005
【図４】
2008234754.tif 000006
【図５】
2008234754.tif 000007
【図６】
2008234754.tif 000008
【図７】
2008234754.tif 000009
【図８】
2008234754.tif 000010
【図９】
2008234754.tif 000011
【図１０】
2008234754.tif 000012
【図１１】
2008234754.tif 000013